(57)【要約】【課題】パーソナルコンピュータを、無線ネットワークを介して特定の無線プロジェクタと自動接続する場合の誤接続を防止する。【解決手段】無線ＬＡＮアダプタ５は、接続先を特定するためのプロジェクタ識別子５４ａを含む接続のための自動実行プログラム５４を備え、この自動実行プログラムが実行される過程で、当該の無線プロジェクタ１からの応答電波の電界強度を電波強度測定部５６が計測し、制御部５２は、電界強度が所定値より小さい場合は、接続動作を中断して、ＰＣ２のディスプレイ２４に確認表示を行う。【選択図】図２
2011109217.tif 000002
【特許請求の範囲】
【請求項１】
無線ネットワークに接続できる機能を備えた無線プロジェクタと、前記無線プロジェクタに固有の識別子情報を内蔵し、情報処理装置のＵＳＢ端子に接続することにより前記無線プロジェクタと接続する機能を有する無線ＬＡＮアダプタと、を備えた無線プロジェクタ装置であって、
前記無線ＬＡＮアダプタは、前記情報処理装置に接続したときに、前記固有の識別子情報を有する無線プロジェクタとの接続を前記情報処理装置に実行させる自動実行プログラムと、
受信電波の強度を測定する電波強度測定部と、を備え、
前記固有の識別子を有する無線プロジェクタからの応答電波の強度を測定し、前記電波の強度が所定値よりも小さい時には、前記情報処理装置の表示部に前記固有の識別子を有する無線プロジェクタに接続するか否かの確認表示を行わせることを特徴とする無線プロジェクタ装置。
【請求項２】
接続すべき無線プロジェクタに固有の識別子情報を内蔵し、情報処理装置のＵＳＢ端子に接続することにより前記無線プロジェクタと接続する機能を有する無線ＬＡＮアダプタであって、
前記情報処理装置に接続したときに、前記固有の識別子情報を有する無線プロジェクタとの接続を前記情報処理装置に実行させる自動実行プログラムと、
受信電波の強度を測定する電波強度測定部と、を備え、
前記固有の識別子を有する無線プロジェクタからの応答電波の強度を測定し、前記電波の強度が所定値よりも小さい時には、前記情報処理装置の表示部に前記固有の識別子を有する無線プロジェクタに接続するか否かの確認表示を行わせることを特徴とする無線ＬＡＮアダプタ。
【発明の詳細な説明】
【技術分野】
【０００１】
本発明は、無線ネットワークを伝送路としてパーソナルコンピュータなどの情報処理装置の保有する画像をスクリーンに投射するプロジェクタ装置に関わり、情報処理装置とプロジェクタとを確実に接続する技術に関わる。
【背景技術】
【０００２】
近年、ＲＧＢケーブルやＵＳＢケーブルなどのケーブルを使用せずに、電波を利用する無線ネットワーク（特に無線ＬＡＮ）を介してパーソナルコンピュータ（以下、単に「ＰＣ」とも略記）やデジタルカメラなどの情報処理装置に表示された画像を転送し、スクリーンに投射する無線対応のプロジェクタが普及してきている。
【０００３】
これは、携帯性に優れたノート型のＰＣやデジタルカメラなどの情報処理装置が高度に普及し、情報処理装置のみを携帯して部屋を移動しても、そこに設置されているプロジェクタと簡単に接続したいというニーズの高まりを背景としている。また、従来のようなケーブル接続に比べて、プロジェクタと情報処理装置の設置場所の自由度が大幅に拡大する。例えば、会議室の天井などの離れた場所にプロジェクタが設置されている場合でも容易に接続が可能となる。
【０００４】
無線ネットワークを利用する場合には、無線ＬＡＮアダプタのハードウェアを準備し、そのドライバおよび通信相手（プロジェクタ）を特定するためのソフトウェアを情報処理装置にインストールする必要がある。
【０００５】
ＰＣにソフトウェアをインストールする場合、通常は、ハードウェアに付属のＣＤ−ＲＯＭなどを、ＰＣのＣＤ−ＲＯＭドライブに挿入してデバイスドライバや各種設定ソフトウェアをインストールする必要がある。
【０００６】
このインストール作業は、ユーザーにとって煩雑であるうえに、ＣＤ−ＲＯＭドライブを備えていないＰＣの場合には外付けのＣＤ−ＲＯＭドライブを別途準備しなければならない。このような煩雑な操作を簡素に行う方法として、例えば、特許文献１および特許文献２に示すようなものがある。
【０００７】
特許文献１に示すものは、ＰＣのＵＳＢ端子に、通常ドングルと呼ばれる無線ＬＡＮアダプタを接続したときに、ＰＣがキーボードとして認識する機能を無線ＬＡＮアダプタ内に備え、無線ＬＡＮアダプタ内の任意のファイルをＰＣにロードして実行させることができる。その後、キーボード機能から無線ＬＡＮアダプタ機能に変更して、通常の無線ＬＡＮアダプタとして使用するようにしたものである。
【０００８】
また、特許文献２に示すものは、無線ＬＡＮを介して、自社のプロジェクタのみを検索し、その中から接続するプロジェクタを選択できるデジタルカメラなどの情報処理機器（当該文献ではプロジェクタ対応周辺機器）について提案されている。これは、検索釦を押すと、自社プロジェクタ固有のＳＳＩＤ（Ｓｅｒｖｉｃｅｓ  Ｓｅｔ  Ｉｄｅｎｔｉｆｉｅｒ）を有する複数のプロジェクタを検索し、併せてそれぞれ接続状態（他との接続、非接続の状態）を複数の発光ダイオードの発光数と発光色の組み合わせで表示する。その発光情報から、使用者が選択釦を押すと、所望の無線プロジェクタとの接続が確率するように構成したものである。
【先行技術文献】
【特許文献】
【０００９】
【特許文献１】特開２００５−２８４９５３５号公報
【特許文献２】特開２００８−２７１２６５号公報
【発明の概要】
【発明が解決しようとする課題】
【００１０】
プロジェクタは、建物の部屋に固定して設置される。特にオフィスなどには複数台設置される。この場合、プロジェクタの使用者は、特定もしくは不特定の多数であって、部屋毎の特定のプロジェクタに、多数の使用者のＰＣを操作簡便に接続するためには、前述の特許文献１に記載したようなドングルタイプの無線ＬＡＮアダプタを当該プロジェクタ専用の無線ＬＡＮアダプタとして使用者に配布、もしくは貸与すれば、簡単操作で、ＰＣをプロジェクタに接続することができる。
【００１１】
しかしながら、ドングルタイプの無線ＬＡＮアダプタは、移動がごく容易な小型軽量であって、間違えて所望のプロジェクタとは異なるプロジェクタ用の無線ＬＡＮアダプタを使用することが考えられる。この様な場合には、ＰＣを所望のプロジェクタに接続することができない。また、間違えた無線ＬＡＮアダプタに該当するプロジェクタが隣の部屋などにあるときには、そのプロジェクタにＰＣが接続されてしまい、情報セキュリティー上、大きな問題となる場合もある。
【００１２】
本発明は、以上のことに鑑みてなされたもので、無線ＬＡＮアダプタが所望のプロジェクタのものと異なる場合に、使用者に注意を喚起し、誤接続を防止するとともに、所定の無線ＬＡＮアダプタと交換することで、ＰＣなどを所定のプロジェクタに接続できるようにした無線プロジェクタ装置および無線ＬＡＮアダプタを提供することを目的とする。
【課題を解決するための手段】
【００１３】
上記目的を達成するために、本発明の無線プロジェクタ装置は、無線ネットワークに接続できる機能を備えた無線プロジェクタと、無線プロジェクタに固有の識別子情報を内蔵し、情報処理装置のＵＳＢ端子に接続することにより無線プロジェクタと接続する機能を有する無線ＬＡＮアダプタと、を備えた無線プロジェクタ装置であって、無線ＬＡＮアダプタは、情報処理装置に接続したときに、固有の識別子情報を有する無線プロジェクタとの接続を情報処理装置に実行させる自動実行プログラムと、受信電波の強度を測定する電波強度測定部と、を備え、固有の識別子を有する無線プロジェクタからの応答電波の強度を測定し、電波の強度が所定値よりも小さい時には、情報処理装置の表示部に固有の識別子を有する無線プロジェクタに接続するか否かの確認表示を行わせることを特徴とする。
【００１４】
このような構成により、誤接続を防止できる無線プロジェクタ装置を提供できる。例えば、隣の部屋に設置されている無線プロジェクタの無線ＬＡＮアダプタを誤って情報処理装置に接続した場合でも、画像を表示する前に誤りに気づくことが可能となる。
【００１５】
本発明の無線ＬＡＮアダプタは、接続すべき無線プロジェクタに固有の識別子情報を内蔵し、情報処理装置のＵＳＢ端子に接続することにより無線プロジェクタと接続する機能を有する無線ＬＡＮアダプタであって、情報処理装置に接続したときに、固有の識別子情報を有する無線プロジェクタとの接続を情報処理装置に実行させる自動実行プログラムと、受信電波の強度を測定する電波強度測定部と、を備え、固有の識別子を有する無線プロジェクタからの応答電波の強度を測定し、電波の強度が所定値よりも小さい時には、情報処理装置の表示部に固有の識別子を有する無線プロジェクタに接続するか否かの確認表示を行わせることを特徴とする。
【発明の効果】
【００１６】
以上のように、本発明によれば、不特定多数のパーソナルコンピュータ（情報処理装置）と、特定の無線プロジェクタとを接続を間違えることなく簡単に接続することが可能な無線プロジェクタ装置および無線ＬＡＮアダプタを提供することができる。
【図面の簡単な説明】
【００１７】
【図１】本発明の実施の形態における無線プロジェクタ装置の外観を示す図である。
【図２】本発明の実施の形態におけるプロジェクタ装置の電気的構成を示すブロック図である。
【図３】本発明の実施の形態における無線プロジェクタ装置の設置例を示す図である。
【図４】本発明の実施の形態における無線プロジェクタ装置の動作を説明するためのフローチャートである。
【図５】情報処理装置に画面に表示されるガイダンスの例を示す図である。
【発明を実施するための形態】
【００１８】
以下に、本発明の実施の形態について、図面を参照しながら説明する。
【００１９】
（実施の形態）
図１は、本実施の形態における無線プロジェクタ装置の外観を示す図である。
【００２０】
無線プロジェクタ１は、情報処理装置であるノートパソコンなどのＰＣ２から電波３によりプレゼンテーション資料などの情報を入手し、その画像をスクリーン４に投射する。無線ＬＡＮアダプタ５は、ＵＳＢドングルと呼ばれる構造のものが、ＰＣ２のＵＳＢ端子に接続されて使用される。無線プロジェクタ１は、例えば、液晶プロジェクタに無線ＬＡＮ機能を内蔵したものである。無線プロジェクタ１は、操作部６により電源がオンオフされる。
【００２１】
図２は、本実施の形態におけるプロジェクタ装置の電気的構成を示すブロック図である。
【００２２】
無線プロジェクタ装置は無線プロジェクタ１と、このプロジェクタの付属品である、ＵＳＢドングル構造の無線ＬＡＮアダプタ５とから構成される。
【００２３】
ＰＣ２は、一般的に制御手段であるＣＰＵ２１を核として、ＨＤＤ（ハードディスクドライブ）２２と、主記憶メモリであるＲＡＭ（Ｒａｎｄｏｍ  Ａｃｃｅｓｓ  Ｍｅｍｏｒｙ）２３と、表示手段であるディスプレイ２４と、キーボードやマウス等の入力装置２５と、ＵＳＢ＿ＩＦ（ＵＳＢインタフェース）２６とを備えている。
【００２４】
無線ＬＡＮアダプタ５は、ＰＣ２と通信するためのＵＳＢ＿ＩＦ５１と、制御部５２と、識別子５３と、自動実行プログラム５４と、無線ＬＡＮ＿ＩＦ（無線ＬＡＮインタフェース）５５と、電波強度測定部５６とで構成されている。
【００２５】
ここで、制御部５２は、ＣＰＵ、ＲＡＭ、ＲＯＭなどから構成され、ＰＣ２との通信を仲介し、ＰＣ２から伝送されるＳＣＳＩ（Ｓｍａｌｌ  Ｃｏｍｐｕｔｅｒ  Ｓｙｓｔｅｍ  Ｉｎｔｅｒｆａｃｅ）規格のコマンド（「ＳＣＳＩコマンド」という）を解釈するコマンド解釈部５２ａと、同じく受信したＳＣＳＩ規格のデータ（ＳＣＳＩデータ）をＴＣＰ／ＩＰデータに変換して無線ＬＡＮ＿ＩＦ５５に出力するデータ変換部５２ｂとを備えている。識別子５３は、ＰＣ２に、無線ＬＡＮアダプタ５がＣＤ−ＲＯＭドライブであると認識させるための識別子である。ＰＣ２に、無線ＬＡＮアダプタ５をＣＤ−ＲＯＭドライブであると認識させることにより、ＰＣ２に無線ＬＡＮアダプタ５専用のドライバをインストールする必要がない。また、ユーザー権限でもアクセスが可能となる。さらには、ＣＤと認識しているために、種々のセキュリティー対策ソフトがＰＣ２にインストールされていても、そのチェックにかかり接続が中断することもない。自動実行プログラム５４には、無線接続する無線プロジェクタを特定するためのプロジェクタ識別子５４ａが含まれている。この識別子は、プロジェクタの型番や、製造番号、メーカ情報などである。
【００２６】
無線ＬＡＮアダプタ５がＰＣ２のＵＳＢ端子に接続されると、制御部５２は識別子５３の中の、ＣＤ−ＲＯＭの識別子をＰＣ２へ送信する。
【００２７】
自動実行プログラム５４は、無線プロジェクタ１とパソコン２とを無線で接続するための無線設定・通信ソフトウェア（一般にワイヤレスマネージャと呼ぶ）であり、無線ＬＡＮアダプタ５がＰＣ２のＵＳＢ端子に接続されると、制御部５２は自動実行プログラム５４をＰＣ２のＲＡＭ２３にロードして自動実行される。なお、識別子５３と、自動実行プログラム５４は、実際には、制御部５２内のＲＯＭや、フラッシュメモリ（図示せず）などに収納されている。
【００２８】
無線ＬＡＮ＿ＩＦ５５は、制御部５２からのＴＣＰ／ＩＰデータを無線プロジェクタ１に無線伝送する。
【００２９】
無線プロジェクタ１は、無線ＬＡＮアダプタ５との無線通信を行う無線ＬＡＮ＿ＩＦ１１と、無線ＬＡＮ＿ＩＦ１１で受け取ったＴＣＰ／ＩＰデータから画像を生成する画像生成部１２と、画像を表示する液晶パネル１３と、光源１４と、光源１４の光が液晶パネル１３で変調された画像を拡大・投射する投射レンズ１５とで構成されている。
【００３０】
次に、図２と図３と図５を参照しながら、図４を用いて本実施の形態の無線プロジェクタ装置の動作を説明する。なお、無線プロジェクタ１は、常時電源が投入された状態にあるとして説明する。また、以下の説明においては、説明を簡単にするために、図２におけるＰＣ２を単にＰＣ、無線ＬＡＮアダプタ５を単にドングルあるいはＵＳＢドングルと表現する場合もある。
【００３１】
図３は、本実施の形態における無線プロジェクタ装置の設置例を示す図である。
【００３２】
図４は、本実施の形態における無線プロジェクタ装置の動作を説明するためのフローチャートである。
【００３３】
図５は、ＰＣ２（情報処理装置）の画面に表示されるガイダンスの例を示す図である。
【００３４】
まず図３について説明する。この図面は、無線プロジェクタ１ａと無線プロジェクタ１ｂが壁７を隔てて設置され、無線プロジェクタ１ａ用のドングル５が、ＰＣ２に接続された状態を示している。この状態で自動接続の動作を行うと、電波の強度が壁７により相互に減衰するが、ＰＣ２と無線プロジェクタ１ａとが接続される不都合が発生するおそれがある。この不都合な接続動作を回避する動作を図４で説明する。
【００３５】
ステップＳ１において、ＰＣ２の電源をオンし、ステップＳ２において、ドングル５をＰＣ２のＵＳＢ端子に接続すると、ＵＳＢ端子を監視しているＯＳ（Ｏｐｅｒａｔｉｎｇ  Ｓｙｓｔｅｍ）がこれを感知し、ステップＳ３において、ドングル５のデバイスを誰何する。これに対しドングル５は、ステップＳ４において、識別子５３の内容をＰＣ２（ＯＳ）へ送信する。すなわち、ドングル５がＣＤ−ＲＯＭドライブである旨の応答を行う。これを受けたＯＳは、ステップＳ５において、当該ドライブのドライバソフトが自己のファイルにあるかを検索する。通常のＰＣには、ＣＤ−ＲＯＭドライブのドライバソフトはインストールされているので、ＣＤ−ＲＯＭドライブのドライバソフトを起動する。次に、ステップＳ６において、自動実行プログラム５４のファイルをＰＣ２にロードする。このファイルは、ＰＣのＲＡＭ２３に展開され、次のステップＳ７において、ワイヤレスマネージャが起動して接続動作が開始される。すなわち、ドングル５から電波を発射して、無線接続されている全てのネットワークを巡回して、識別子５４ａを有するプロジェクタを検索する。
【００３６】
これに対し、ステップＳ８において、無線プロジェクタ１ａからの応答があると（「ＹＥＳ」の場合）、次にステップＳ９において、ドングル５の電波強度測定部５６が、応答電波の電界強度を測定し、制御部５２が、電界強度が所定値（例えば−７０ｄｂ）よりも小さいかどうかを判定する。図３に示す−９０ｄｂ（例えばの値）の数字は、無線プロジェクタ１ａからの応答電波の強度を示しており、ステップＳ９で「ＹＥＳ」になるので、次のステップＳ１０において、制御部５２は、ＰＣ２に指示して、ディスプレイ２４上に図５に示すガイダンスを表示させる。このガイダンスを観て、使用者は、ドングル５が、ＰＣ２のある部屋の無線プロジェクタ１ｂ（Ｐｒｏｊ５６７８）用のものでないことを知ることができるとともに、ステップＳ１１において、図５の「ＮＯ」の選択をすることで、接続動作を中止させて、ＰＣ２が他室（隣室）の無線プロジェクタ１ａと接続することを回避できる。
【００３７】
以上が接続回避の動作であるが、次にＰＣ２が接続される場合の動作を説明する。
【００３８】
図３のドングル５が同室の無線プロジェクタ１ｂ（Ｐｒｏｊ５６７８）用のものであった場合は、ステップＳ９において、Ｅ＜−７０ｄｂの判定基準に、「ＮＯ」となる（図３の−６０ｄｂ（例えばの値）は、無線プロジェクタ１ｂからの応答電波の強度を示している）。
【００３９】
ステップＳ９において、「ＮＯ」と判断されると、ステップＳ１２にジャンプして、ＰＣ２と無線プロジェクタ１ｂとが接続される。
【００４０】
また、ステップＳ１１において、図５の「ＹＥＳ」の選択をすることでもＰｒｏｊ１２３４のドングル５を搭載したＰＣ２は無線プロジェクタ１ａと接続することができる。これは、無線プロジェクタ１ａが図３に示すような壁７を隔てて設置されておらず、体育館や講堂などの広い部屋に設置され、無線プロジェクタ１ａとＰＣ２の距離が長い場合を想定してのものである。
【００４１】
以上説明したように本実施の形態の無線プロジェクタ装置は、付属品である無線ＬＡＮアダプタ５に固有の識別情報を記録させ、パーソナルコンピュータに接続したときに、固有の識別子情報を有する無線プロジェクタとの接続をパーソナルコンピュータに実行させる自動実行プログラム（ワイヤレスマネージャ）を内蔵するとともに、自動実行プログラムが実行中の前記固有の識別子を有する無線プロジェクタからの応答電波の強度を測定し、この電波強度が所定値よりも小さい時には、接続作業を中断し、パーソナルコンピュータのディスプレイに接続するか否かの確認表示を行うような構成としたものである。
【００４２】
なお、上記実施の形態にあっては、無線プロジェクタ１を識別する固有の識別情報としては、プロジェクタ識別子としたが、それ以外でも無線プロジェクタ１のＭＡＣアドレスやＩＰアドレスなど無線プロジェクタ１を一意的に特定できるものであれば何でもよい。
【産業上の利用可能性】
【００４３】
本発明は、情報処理装置にＵＳＢ端子にドングルタイプの無線ＬＡＮアダプタを接続することにより、特定の無線プロジェクタと接続する場合に有用である。
【符号の説明】
【００４４】
１，１ａ，１ｂ    無線プロジェクタ
２    情報処理装置（ＰＣ）
３    電波
４    スクリーン
５    無線ＬＡＮアダプタ
６    操作部
７    壁
１１    無線ＬＡＮ＿ＩＦ（無線プロジェクタ側）
１２    画像生成部
１３    液晶パネル
１４    光源
１５    投射レンズ
２１    ＣＰＵ
２２    ＨＤＤ
２３    ＲＡＭ
２４    ディスプレイ
２５    入力装置
２６    ＵＳＢ＿ＩＦ（ＰＣ側）
５１    ＵＳＢ＿ＩＦ（無線ＬＡＮアダプタ側）
５２    制御部
５２ａ    コマンド解釈部
５２ｂ    データ変換部
５３    識別子
５４    自動実行プログラム（ワイヤレスマネージャ）
５４ａ    プロジェクタ識別子
５５    無線ＬＡＮ＿ＩＦ（無線ＬＡＮアダプタ側）
５６    電波強度測定部
【図１】
2011109217.tif 000003
【図２】
2011109217.tif 000004
【図３】
2011109217.tif 000005
【図４】
2011109217.tif 000006
【図５】
2011109217.tif 000007